(57)【要約】      （修正有）【課題】トルマリン処理水を効率的に生成できるようにしたトルマリン処理水用浄水器と、効率的に有用なトルマリン処理水を生成できるようにした受水槽を提供する。    【解決手段】複数の径が大きな水処理室を、径の小さい通水管により所定の間隔をおいて直列に連結形成してなる水処理用耐圧容器２の基端部に通水管を突設して流入部３となすとともに、当該水処理用耐圧容器２の先端部に通水管６ａ、６ｂを突設して流出部４となし、複数の水処理室内にはトルマリン鉱石粒又はトルマリン鉱石粒を主材とする浄化材を収納してなり、前記流入部３から所定の圧力で水を流入することにより水処理用耐圧容器２内でトルマリン鉱石粒又はトルマリン鉱石粒を主材とする浄化材に断続的に強い圧力や衝撃力で繰返し接触しながら通水し、前記流出部４から流出するようにしたことを特徴とする。【選択図】図４
0003184204.tif 000002
【実用新案登録請求の範囲】
【請求項１】
複数の径が大きな水処理室を、径の小さい通水管により所定の間隔をおいて直列に連結形成してなる水処理用耐圧容器の基端部に通水管を突設して流入部となすとともに、当該水処理用容器の先端部に通水管を突設して流出部となし、前記複数の水処理室内にはトルマリン鉱石粒又はトルマリン鉱石粒を主材とする浄化材を収納してなり、
前記流入部から所定の圧力で水を流入することにより水処理用耐圧容器内でトルマリン鉱石粒又はトルマリン鉱石粒を主材とする浄化材に断続的に強い圧力や衝撃力で繰返し接触しながら通水し、前記流出部から流出するようにしたことを特徴とするトルマリン処理水用浄水器。
【請求項２】
径の大きな水処理室の基端部に径の小さな通水管を突設するとともに当該水処理室の先端部には径の小さな通水管を突設したものを基本耐圧容器となし、
その基本耐圧容器を複数個、前記通水管を介して着脱自在に連結することにより、径の大きな水処理室と径の小さい通水管が所定の間隔をおいて直列に連結形成された水処理用耐圧容器となし、その基端部に突設した通水管を流入部となし、その先端部に突設した通水管を流出部となし、複数の水処理室内にはトルマリン鉱石粒又はトルマリン鉱石粒を主材とする浄化材を収納してなり、
前記流入部から所定の圧力で水を流入することにより水処理用耐圧容器内でトルマリン鉱石粒又はトルマリン鉱石粒を主材とする浄化材に断続的に強い圧力や衝撃力で繰返し接触しながら通水し、前記流出部から流出するようにしたことを特徴とするトルマリン処理水用浄水器。
【請求項３】
請求項１、請求項２に記載する水処理用耐圧容器を構成する水処理室内を流入側から流出側に向けて網状体で三つに区分し、流入側区分には粒径が約３．０〜５．０ｍｍのＬ型トルマリン鉱石粒を収納し、中間区分には粒径が約１．５〜３．０ｍｍのＭ型トルマリン鉱石粒を収納し、流出側区分には０．５〜１．５ｍｍのＳ型トルマリン鉱石粒を収納してあり、流入する水が区分毎にトルマリン鉱石に接触しながら通水するようにしたことを特徴とする請求項１または請求項２に記載するトルマリン処理水用浄水器。
【請求項４】
給配水のために一時的に水を貯溜しておく受水槽において、受水槽の水取入口部と受水槽の底部近傍に設けた水配出口部にトルマリン処理水用浄水器を配設構成したものであり、
当該トルマリン処理水用浄水器は、複数の径が大きな水処理室を、径の小さい通水管により所定の間隔をおいて直列に連結形成してなる水処理用耐圧容器の基端部に通水管を突設して流入部となすとともにその先端部に通水管を突設して流出部となし、前記複数の水処理室内にはトルマリン鉱石粒又はトルマリン鉱石粒を主材とする浄化材を収納してあり、前記流入部から所定の圧力で水を流入することにより水処理用耐圧容器内でトルマリン鉱石粒又はトルマリン鉱石粒を主材とする浄化材に断続的に強い圧力や衝撃力で繰返し接触しながら通水し、前記流出部から流出するようにしたトルマリン処理水用浄水器であり、
水取入口部に配設けたトルマリン処理水用浄水器は、その基端部の流入部を水道の配水管と連結して所定の圧力で水が流入するようになし、水処理用耐圧容器内を通水する過程でトルマリン鉱石粒又はトルマリン鉱石粒を主材とする浄化材に断続的に強い圧力や衝撃力で接触して有用なトルマリン処理水を生成しながら流出部から受水槽内に流入して、受水槽内に貯留されるようになし、
受水槽の底部近傍に設けた水配出口部に沈むように配設したトルマリン処理水用浄水器は、その流出部を外部配水管と連結して当該配水管から生じる吸水力と受水槽内に貯溜した水の水圧とによって所定の圧力で水が流出するようになし、当該水処理用耐圧容器内を通水する過程でトルマリン鉱石粒又はトルマリン鉱石粒を主材とする浄化材に断続的に強い圧力や衝撃力で繰返し接触して有用なトルマリン処理水を生成しながら流出部から流出給配水するようにしたことを特徴とするトルマリン処理水生成機能を備えた給配水用受水槽。
【考案の詳細な説明】
【技術分野】
【０００１】
本考案は、配水管を通水中の水を強い圧力でトルマリン鉱石に繰り返し接触させることにより、トルマリン処理水を効率的に生成できるようにしたトルマリン処理水用浄水器と、一時的に貯溜する受水槽において、当該貯留水を強い圧力でトルマリン鉱石に繰り返し接触させることにより効率的に有用なトルマリン処理水を生成できるようにしたトルマリン処理水生成機能を備えた受水槽に関する。    
【０００２】
本考案は、特に一般家屋、マンション、ビル、旅館、ホテル、工場等の給配水システムにおいて受水槽を設けている場合に、水道や井戸などの給水源から給水される水を一旦受水槽に貯水しておき、必要に応じて安定的に水を再配水しようとするような場合に受水槽において水質をより有用なものに改質するのに好適な技術である。
【背景技術】
【０００３】
従来、トルマリン鉱石は、珪酸塩類鉱物であり、永久微弱電流を発生させたり、遠赤外線を放射したり、ミネラルを溶出させるといった特性があり、それらの特性が、以下に示すように、さまざまな有益な効用をもたらすことが知られている。
【０００４】
第１に、トルマリン鉱石は、極性結晶体であり、その結晶の両端にプラス電極とマイナス電極を自然に且つ永久的に保持する特性を有していて、永久的に微弱電流を発生させる特性がある。
このためトルマリン鉱石のプラスの電極には大気中のマイナスイオンを引き寄せ吸収し、集められたマイナスイオンをトルマリン鉱石内に取り込み、これをマイナス電極に送って、余ったマイナスイオンをマイナス電極から放出し、０．０６ミリアンペアの微弱電流を永久的に発生し続ける特性がある。このトルマリン鉱石の微弱電流を永久的に発生し続けるという特性は、熱や圧力を加えることによりさらに強まる焦電効果、圧電効果があり、静電気がたくさん発生し、電圧も高まることになる。このように電場を永久的に形成するトルマリン鉱石のことを、一般に「電気石」称している。
【０００５】
当該トルマリン鉱石は、上記のような特性から、水にふれることで水を瞬間的にマイナスイオン化するし、同時に弱アルカリ性に変える力がある。つまり、トルマリン鉱石のマイナス電極に蓄えられた電子は、水に触れると瞬間的に放電され、水素イオンと水酸イオンとに電気分解される。また当該水素イオンは水分子と結合して、「ヒドロキシルイオン」と呼ばれる界面活性効果を持った物質を発生し続ける。これが、マイナスイオンである。更に、このような過程を経た水は、水素イオンが減少することでｐＨ７．５を示す弱アルカリ性の性質を持つことになる。
【０００６】
更に、水道水や一般の水は、塩素や不純物などが含まれているため分子活動が制限されＨ２Ｏという水分子は結合体となり易く、この結合体が多く集まって大きなクラスターを形成して存在していることが多い。このようにクラスターの大きい水は、飲んでも美味しくなく、なかなか吸収されにくいものとなる。このクラスターの大きい水にトルマリンを接触させると、その電圧によって、水のクラスターが分解され、正常な分子状態の水に戻り分子活動が活発に行われるようになるため、「浸透性や吸水性が高く、なめらかで、おいしい活性水」になる。これが水の活性化である。
【０００７】
第２に、トルマリン鉱石は、遠赤外線を放射する特性がある。
トルマリン鉱石はその物性として、熱によって帯電する焦電現象（ピロ電気）が起こる。温度が２度上がるとその効果は２倍になるといわれている。また、トルマリン鉱石は、その物性として、わずかな衝撃でも帯電する圧電現象（ピエゾ電気）が起こる。この焦電気、圧電気をエネルギーとしてとらえると遠赤外線である。つまり、トルマリン鉱石に熱や圧力（衝撃）を加えることにより、波長４〜１４ミクロンの遠赤外線に変換され放射することになるのである。これは「育成光線」とも称され、生物を活性化する働きがあるし、温熱効果による有益性も発現する。
【０００８】
第３に、トルマリン鉱石からは、水にミネラルを溶出する特性がある。
トルマリン鉱石からは、トルマリン鉱石自体に含有されているマグネシウムや鉄やホウ素や珪素などの元素を水に溶出する。従って、トルマリン鉱石を水に入れることにより水をミネラル化することができる。
【０００９】
上記の通り、トルマリン鉱石は、その特性から、マイナスイオンを発生させ、水の分子を瞬時にマイナスイオン化し、弱アルカリ化し、水を活性化し、遠赤外線を放射し、界面活性効果を生じさせ、ミネラルを溶出するなど多様な働きをする。その結果、具体的には、トルマリン鉱石を活用することによって、金属の腐食防止、水質改善・調製、空気の浄化・脱臭、抗菌作用による鮮度維持、酸化防止、洗浄効果、水のミネラル化、植物の発育・育成、生物の細胞活性化、温熱治療、新陳代謝の活性化、血液浄化など多様な分野で有益な効用を発揮させることができるとされている。
【考案の開示】
【考案が解決しようとする課題】
【００１０】
しかし、トルマリン鉱石が発生させる電流は微弱であり、出来る電場も小さいため、単にトルマリン鉱石に接触するだけとか、瞬間的に又は短時間に接触するだけでは、上記のようなトルマリン鉱石の作用、効果を顕著に得ることがむずかしい。また、トルマリン鉱石は、硬度の高い岩塊であるため、その取り扱いが限定され、その利用の仕方が難しい。このためトルマリン鉱石をそのまま活用する方法では、人間が認知できる程度に有用性のあるトルマリン鉱石の作用効果を得るのは難しく、トルマリン鉱石の実用的な活用がいまひとつ実現していないというのが現状である。
【００１１】
本考案者は、トルマリン鉱石の多様な働きを認めながらも、その活用によって有用性の認知できるような作用効果を得る実用的な活用の仕方について研究をしてきた。その結果、トルマリン鉱石の特性を最も顕著に発現する活用の仕方は、水にトルマリン鉱石を接触させ水質を改善させたトルマリン処理水を効率的に造り、このトルマリン処理水を活用することが便利であり、トルマリン鉱石の作用・効果が最も効率的に発現できる方法であることに気付いた。なぜなら、ミネラル処理水は、その水をおいしくし、その水を活性化し、水をミネラル化して、その水の洗浄力を向上させ、この水を用いて食品の鮮度を維持し、生物の細胞を活性化し、植物の発育・育成を促進するなど多様な利用の仕方が可能になるからである。考案者はこの点に着目して、有用なトルマリン処理水を効率的に製造する技術を開発するように研究目標を集中させて努力することにより完成したのが本考案である。
【００１２】
従来よりトルマリン鉱石を水に接触させてトルマリン処理水にする技術としては、次のようなものがある。
【特許文献１】特開平２−１９８６８８号、
【特許文献２】特開平４−１４５１９４号、
【特許文献３】特開平５−１５８７２号、
【特許文献４】特開平５−６４７８7号、
【特許文献５】特開平６−８６７９９号
【特許文献６】特開平８−６３４３号
【００１３】
しかし、上記特許文献１〜５は、単に浴槽水の底面にトルマリン鉱石を沈ませて置くだけのものや、トルマリン鉱石を充填した容器を管路の送流中において接触させただけのものであった。このように瞬間的に水とトルマリン鉱石とを接触する方法や、静置したトルマリン鉱石に水を単に接触するだけの方法では、微弱電流によって多量な水をトルマリン処理することが出来なかった。まして認知できる程度にトルマリン鉱石の作用、効果を発現したトルマリン処理水を得るには、それなりの積極的な工夫が必要である。
【００１４】
特許文献６の発明は、このような技術的課題を解決すべく検討した結果、一般家屋、マンション、ビル、旅館、ホテル、工場等の給配水システムにおいては、水道や井戸などの給水源から給水される水を一旦受水槽に貯水しておき、必要に応じて安定的に水を再配水しようとする受水槽に着目した。受水槽に入っている水は、使用する直前の水であって、しかもある程度の時間貯溜しているものである。このため、受水槽において、トルマリン処理するのが最も合理的な場所であり、水をトルマリンと充分接触させて確実にトルマリン処理水にするには好適な場所であることに気付いた。
【００１５】
また、特許文献６の発明は、トルマリン鉱石の物性として加圧すると表面に電場を生じるという圧電効果（ピエゾ電気）がある点に着目し、受水槽内に貯溜されている水にトルマリン鉱石を強い圧力を持って繰返し接触させるように構成することによって、高効率に有用なトルマリン処理水を製造することができることにしたものである。即ち当該発明は、圧電効果（ピエゾ電気）を出来るだけ利用しながら、経済的負担を少なくて、トルマリン処理ができる具体的な方法を研究開発したものである。
【００１６】
本件出願人は、これまで当該特許文献６の発明を事業化して実施してきた。そのため、当該圧電効果（ピエゾ電気）を出来るだけ利用しながら、経済的負担を少なくて、高効率なトルマリン処理ができる具体的な方法を開発せんとする発想は、同じである。しかし、特許文献６の発明は、トルマリン鉱石に繰返し水を接触させるのに、流入時の水流やモーターで強制的に生成した水流をトルマリン鉱石に掛け流すことによりトルマリン処理する構成になっている。そのため、貯留水にトルマリン鉱石を沈めて置くよりは効果が上がるが、単に掛け流すだけでは水質を改善するトルマリン処理水の効果の発現は満足できるものではなかった。また、当該発明を実施するためにはモーターで強制的に水流を生じさせるため配管やモーターなどの装置を配設する必要があり、しかもモーターを駆動するための電気料が必要となるなど経済的負担が大きいことが難点であった。そこで本考案者は、当該特許文献６の発明を更に改良するため研究に努めた結果、開発されたのが本考案である。
【００１７】
叙上のように本考案は、トルマリン鉱石に強い圧力で繰返し水を接触させることにより、トルマリン鉱石の特性である圧電効果を発現させ、接触水に効率的な電流供給をして水質を改善する処理（トルマリン処理）を、従来より簡単な構造の装置で、しかも維持経費もほとんど必要とせず高効率に有用なトルマリン処理水を製造する方法を具現化した点が特徴である。
【課題を解決するための手段】
【００１８】
実用新案登録を受けようとする第１考案は、複数の径が大きな水処理室を、径の小さい通水管により所定の間隔をおいて直列に連結形成してなる水処理用耐圧容器の基端部に通水管を突設して流入部となすとともに、当該水処理用容器の先端部に通水管を突設して流出部となし、複数の水処理室内にはトルマリン鉱石粒又はトルマリン鉱石粒を主材とする浄化材を収納してなり、前記流入部から所定の圧力で水を流入することにより水処理用耐圧容器内でトルマリン鉱石粒又はトルマリン鉱石粒を主材とする浄化材に断続的に強い圧力や衝撃力で繰返し接触しながら通水し、前記流出部から流出するようにしたことを特徴とするトルマリン処理水用浄水器である。
【００１９】
第１考案は、水道のように所定の圧力を持って送水する管水路上に設置して水を効率的にトルマリン処理するトルマリン処理水用浄水器である。当該水処理用耐圧容器は、径が大きな水処理室と径の小さい通水管が交互に所定の間隔をおいて直列に複数連結形成していて、当該水処理室にはトルマリン鉱石粒又はトルマリン鉱石粒を主材とする浄化材が収納されていることが特徴である。
【００２０】
即ち、水処理用耐圧容器の径が大きな水処理室と径の小さい通水管が交互に所定の間隔をおいて連結された形状の耐圧容器の中に所定の圧力で水を流した場合、径が大きな水処理室では流速がゆるやかになり、径の小さい通水管では流速が速くなる。また、径の小さい通水管から径が大きな水処理室に流入する際には、その水の流れは乱流となり、更にキャピテーションさえ発生する。このキャピテーションは、物に衝当して破裂する際に大きな衝撃力が発生する。このように所定の圧力が加えられている水流が水処理用耐圧容器内を通水すると、流速が激しく変化し、しかも乱流の生じる強い圧力や衝撃力が発生する。このような状態の中で、流水はトルマリン鉱石粒又はトルマリン鉱石粒を主材とする浄化材と接触することができるのである。これによってトルマリン鉱石の特性である圧電効果が発現され、接触水に効率的な電流供給をして水質を改善する処理（トルマリン処理）をすることにより高効率に有用なトルマリン処理水を製造することができるのである。
【００２１】
しかも、当該水処理室内での強い圧力や衝撃力での断続的な接触が繰り返されて顕著な効果を発揮する仕組みは、水処理用耐圧容器の独特な形状と加圧水流によって自動的にもたらされるもので、モーターやポンプの駆動といった人工的にエネルギーを加える必要がない。
【００２２】
尚、水処理室内に収納される浄化材は、トルマリン鉱石粒だけでも良いし、トルマリン鉱石粒を主材としてそれに活性炭や麦飯石などの水質浄化に適した浄化材を配合するようにしても良いこと勿論である。
【００２３】
実用新案登録を受けようとする第２考案は、径の大きな水処理室の基端部に径の小さな通水管を突設するとともに当該水処理室の先端部には径の小さな通水管を突設したものを基本耐圧容器となし、その基本耐圧容器を複数個、前記通水管を介して着脱自在に連結することにより、径の大きな水処理室と径の小さい通水管が所定の間隔をおいて直列に連結形成された水処理用耐圧容器となし、その基端部に突設した通水管を流入部となし、その先端部に突設した通水管を流出部となし、複数の水処理室内にはトルマリン鉱石粒又はトルマリン鉱石粒を主材とする浄化材を収納してなり、前記流入部から所定の圧力で水を流入することにより水処理用耐圧容器内でトルマリン鉱石粒又はトルマリン鉱石粒を主材とする浄化材に断続的に強い圧力や衝撃力で繰返し接触しながら通水し、前記流出部から流出するようにしたことを特徴とするトルマリン処理水用浄水器である。
【００２４】
当該第２考案は、径の大きい基本耐圧容器を径の小さい通水管を介して連結することにより第１考案と同じような水処理用耐圧容器に組立て形成でき、所定の圧力で流入した水を当該水処理用耐圧容器内でトルマリン鉱石粒又はトルマリン鉱石粒を主材とする浄化材に断続的に強い圧力や衝撃力の変化するなかで繰返し接触することができるようにしたものである。そのため、本考案についても第１考案と同じように通水を効率的にトルマリン処理水に浄化することができる。
【００２５】
第２考案は、水処理室とその両端部から突出する流出部と排出部とからなる基本耐圧容器が独立した部品とし複数個存在しており、隣接する基本耐圧容器の流出部と排出部を連結自在にして、水処理室耐圧容器を簡単に組立て構成することができるようにした点で第１考案と相違する。そのため、規模や状況に応じて耐圧容器の数や大きさや配置を適宜なものに簡単に設計変更することができるので便利である。
【００２６】
実用新案登録を受けようとする第３考案は、第１考案、第２考案に記載する水処理用耐圧容器を構成する水処理室内を流入側から流出側に向けて網状体で三つに区分し、流入側区分には粒径が約３．０〜５．０ｍｍのＬ型トルマリン鉱石粒を収納し、中間区分には粒径が約１．５〜３．０ｍｍのＭ型トルマリン鉱石粒を収納し、流出側区分には０．５〜１．５ｍｍのＳ型トルマリン鉱石粒を収納してあり、流入する水が区分毎にトルマリン鉱石に接触しながら通水するようにしたことを特徴とする第１考案、第２考案に記載するトルマリン処理水用浄水器である。
【００２７】
第３考案は、水処理室内に収納するトルマリン鉱石粒の一実施例を示すものである。本考案の場合は水処理室内を通水しながら３区分し、それぞれの区分にＬ型、Ｍ型、Ｓ型のトルマリン鉱石粒を収納したものである。本考案は、この水処理室内を通水するだけで、異なる条件下で複数回繰返してトルマリン鉱石と接触させることが出来ることになる。尚、水処理室内に収納するトルマリン鉱石粒を必ずしもこのように区分して収納する必要はなく、水処理室毎にトルマリン鉱石粒の大きさを変えるようにしてもよいこと勿論である。
【００２８】
トルマリン鉱石粒は、その粒径が小さくなっても、微弱電流を発生する機能は変わらないという特性があり、しかも粒径が小さければ容器内に入るトルマリン鉱石粒の数が増えて、電圧が大きくなるとされている。従って、上記のように粒径を変えることにより、水に供給する電圧を変えることができるので、水質が多少異なっていても、水へのトルマリン処理を確実に行うことが出来る。
【００２９】
実用新案登録を受けようとする第４考案は、給配水のために一時的に水を貯溜しておく受水槽において、受水槽の水取入口部と、受水槽の底部近傍に設けた水配出口部に受水槽の水取入口部と受水槽の底部近傍に設けた水配出口部にトルマリン処理水用浄水器を配設構成したもので、当該トルマリン処理水用浄水器は、複数の径が大きな水処理室を、径の小さい通水管により所定の間隔をおいて直列に連結形成してなる水処理用耐圧容器の基端部に通水管を突設して流入部となすとともにその先端部に通水管を突設して流出部となし、前記複数の水処理室内にはトルマリン鉱石粒又はトルマリン鉱石粒を主材とする浄化材を収納してあり、前記流入部から所定の圧力で流入した水が、水処理用耐圧容器内でトルマリン鉱石粒又はトルマリン鉱石粒を主材とする浄化材に断続的に強い圧力や衝撃力で繰返し接触しながら通水し、前記流出部から流出するようにしたトルマリン処理水用浄水器である。当該水取入口部に配設けたトルマリン処理水用浄水器は、その基端部の流入部を水道の配水管と連結して所定の圧力で水が流入するようになし、水処理用耐圧容器内を通水する過程でトルマリン鉱石粒又はトルマリン鉱石粒を主材とする浄化材に断続的に強い圧力や衝撃力で接触して有用なトルマリン処理水を生成しながら流出部から受水槽内に流入して受水槽内に貯留されるようになし、受水槽の底部近傍に設けた水配出口部に沈むように配設したトルマリン処理水用浄水器は、その流出部を外部配水管と連結して当該配水管から生じる吸水力と受水槽内に貯留した水の水圧とによって所定の圧力で水が流出するようになし、当該水処理用耐圧容器内を通水する過程でトルマリン鉱石粒又はトルマリン鉱石粒を主材とする浄化材に断続的に強い圧力や衝撃力で繰返し接触して有用なトルマリン処理水を生成しながら流出部から流出給配水するようにしたことを特徴とするトルマリン処理水生成機能を備えた給配水用受水槽である。
【００３０】
第４考案は、トルマリン処理水用浄水器を活用したトルマリン処理水生成機能を有する受水槽である。当該トルマリン処理水用浄水器を受水槽の水取入口部の直前及び／又は直後の流入水路上と、受水槽の水配出口部の直前及び／又は直後の流出水路上に配設したことが特徴である。しかも当該トルマリン処理水用浄水器そのものが、第１考案乃至第３考案のように通水する過程でトルマリン鉱石粒又はトルマリン鉱石粒を主材とする浄化材に断続的に強い圧力や衝撃力の発生するなかで繰返し接触して有用なトルマリン処理水を生成する機能を備えている。
【００３１】
このように、第４考案に係る受水槽は、トルマリン処理水を生成する機能を、所定の圧力をもって通水する受水槽内へ流入する際と、受水槽内から流出する際の２箇所で断続的に強い圧力や衝撃力の発生するなかで繰返しトルマリン処理をするものである。この２箇所の特定された配設場所は、いずれも耐圧容器内で水に強い流れがあり、高水圧な場所であるためトルマリン鉱石に対し強い加圧力をもって接触することができるので、トルマリン鉱石の圧電効果によって接触水に対して効率的な電流供給をすることができる。その結果、接触水は強い電荷によるトルマリン処理が何度も繰返し行われ、それだけ大きく水質を改善するので、有用なトルマリン処理水を生成することができるのである。
【００３２】
また、第４考案に係る受水槽は、接触水に対して圧電効果によって効率的に発生するピアゾ電気を高効率に供給されるうえ、それが水取入口部と水配出口部の２ヶ所で繰返し行われることにより確実に有用なトルマリン処理水にすることができるものである。しかも当該受水槽は、有用なトルマリン処理水を生成するのに、新たなエネルギーを加える装置や器具を設ける必要がないので、経済的に安価である。
【００３３】
更に、受水槽は、本来給配水するために一時的に水を貯溜しておくためのものであり、ここで有用なトルマリン処理水を生成し、給配水する際に、再度有用なトルマリン処理水にしながら送水するので、トルマリン処理水の有益な効用の時間による劣化がなく合理的である。しかも、受水槽や給配水するための送水管の腐食を防止するので、以後のメンテナンスを大幅に軽減することができる。
【考案の効果】
【００３４】
第１考案は、水処理用耐圧容器を、径が大きな水処理室と径の小さい通水管が交互に所定の間隔をおいて直列に複数連結したような形状にし、当該水処理室にはトルマリン鉱石粒又はトルマリン鉱石粒を主材とする浄化材が収納されているので、耐圧容器の中に所定の圧力で水を流した場合、径の小さい通水管で流速が速くなった流水が勢いよく水処理室内のトルマリン鉱石粒に接触するとともに、通水管から水処理室に流入する際に生じる乱流やキャピテーションとなってトルマリン鉱石粒と衝当するので、トルマリン鉱石の特性である圧電効果が効率的に発現して接触水に電流供給をして水質を改善する処理（トルマリン処理）をすることができる。また、通水管から水処理室に流入する際に生じる乱流やキャピテーションによってトルマリン処理水の界面活性作用が増大し、洗浄力がアップするので、耐圧容器や収納されているトルマリンのクリーニングなどのメンテナンスがほとんど必要なくなる。このように、本考案にかかるトルマリン処理水用浄水器は、高効率に有用なトルマリン処理水を製造することができるものとなる。
【００３５】
本考案にかかるトルマリン処理水用浄水器は、当該水処理室内での強い圧力や衝撃力の発生するなかで接触が断続的に繰り返される効果は、水処理用耐圧容器の形状と加圧水流によって自動的にもたらされるので、モーターやポンプの駆動といった人工的にエネルギーを加える必要がなく、経済的に安価である。
【００３６】
第２考案は、上記第１考案と同じような水処理用耐圧容器に組立て形成できるので、本考案についても第１考案と同じように通水を効率的にトルマリン処理によりトルマリン処理水に浄化することができる。本考案はそれだけでなく、水処理室とその両端部から突出する流出部と排出部とからなる基本耐圧容器が独立した部品とし複数個存在しており、隣接する基本耐圧容器の通水管を連結自在にしたので、水処理室耐圧容器を簡単に組立て構成することができる。そのため、使用する受水槽などの規模や状況に応じて耐圧容器の数や大きさや配置を適宜なものに簡単に設計変更することができる便利さがある。
【００３７】
第３考案は、水処理室内を３分割し、それぞれの区分にＬ型、Ｍ型、Ｓ型のトルマリン鉱石粒を収納することによりこの水処理室内を通水するだけで、異なる条件下で複数回繰返してトルマリン鉱石と接触させることが出来ることになる。上記のように粒径を変えることにより、接触の仕方を変え、水に供給する電圧を変えることができるので、水質が多少異なっていても、水へのトルマリン処理を確実に行うことが出来る。
【００３８】
第４考案は、当該トルマリン処理水用浄水器を受水槽の水取入口の直前及び／又は直後の流入水路上と、受水槽の水配出口部の直前及び／又は直後の流出水路上に配設し、所定の圧力をもって通水する受水槽内へ流入する際と、受水槽内から流出する際の２箇所で断続的に強い圧力や衝撃力の発生するなかで繰返しトルマリン処理をするものである。本考案はこのように接触水は強い電荷によるトルマリン処理を何度も繰返し行われるので、大きく水質を改善した有用なトルマリン処理水を効率的に生成することができる受水槽を具現化したものである。
【００３９】
第４考案に係る受水槽は、水に対して繰り返し効率的に発生するピアゾ電気を高効率に供給される作用を水取入口と水配出口部の２ヶ所で行われることにより確実に有用なトルマリン処理水にすることができるが、当該受水槽は、有用なトルマリン処理水を生成するのに、新たなエネルギーを加える装置や器具を設ける必要がないので、経済的に安価である。
【００４０】
更に４考案に係る受水層は、流入時に有用なトルマリン処理水を生成するだけでなく、給配水する際に、再度有用なトルマリン処理水にしながら送水するので、トルマリン処理水の有益な効用の時間による劣化がなく合理的である。常に受水槽や給配水するための送水管の腐食を防止するので、以後のメンテナンスを大幅に軽減することができる。
【００４１】
本考案に係る受水槽で生成されたトルマリン処理水は、水をおいしくし、水道の塩素を取り除き、受水槽や配水管などの赤錆、スラム、スケール、ゴミを取り除くことができるので、当該受水槽のメンテナンスを以後ほとんどする必要がなくなった。また、本考案に係る受水槽で生成されたトルマリン処理水を使用すると、トルマリン処理水を用いた浴槽、洗面器、便器などの水まわりの黄ばみ、ぬめりがなくなり、それら水まわり機器類の清掃が楽になった。更に又、本考案に係る受水槽で生成されたトルマリン処理水を使用すると、排水管や排水マスなどの油・ゴミ・ヘドロがほとんど無くなり、それらの機器のメンテナンスが楽になった。いけばな、切花などは、水が酸化しにくくなり、約3倍の長持ちをするようになった。このように、本考案に係る受水槽を使用し、当該受水槽が生成するトルマリン処理水は、上記のような種々の有益効果を発現するようになる。
【考案を実施するための最良の形態】
【００４２】
以下、本考案に係るトルマリン処理水用浄水器と、これを装備することにより有用なトルマリン処理水生成機能を備えた受水槽を図示実施例に基づいて詳細に説明する。
【００４３】
図１は、本考案に係るトルマリン処理水用浄水器の実施例を示す縦断面説明図であり、図２は、トルマリン処理水用浄水器の中に所定の圧力で水を流入したときの水流の状態を模した説明図であり、図３は、基本耐圧容器は前記通水管を介して複数個を着脱自在に連結することによりトルマリン処理水用浄水器を形成した実施例を示す縦断面説明図である。また、図４は、前記トルマリン処理水用浄水器を活用した有用なトルマリン処理水生成機能を備えた受水槽の実施例を示す縦断構成正面図である。
【００４４】
図中１は、本考案に係るトルマリン処理水用浄水器であるが、それは
密閉された水処理用耐圧容器２と、その基端部に設けた通水管６により形成される流入部３と、その先端部に設けた通水管６により形成される流出部４とからなる。当該水処理用耐圧容器２は、径が大きな水処理室５ａ，５ｂと径の小さい通水管６ａが所定の間隔をおいて直列に複数連結形成された形状である。そして、当該水処理室５ａ，５ｂ内には、トルマリン鉱石粒又はトルマリン鉱石粒を主材とする浄化材７ａ，７ｂが収納されている。
【００４５】
従って当該トルマリン処理水用浄水器１へ径の小さい流入部３から水を所定の圧力で流入すると、図２に示すように水処理用耐圧容器２内で水流は、まず径が大きな水処理室５ａへ乱入してトルマリン鉱石粒又はトルマリン鉱石粒を主材とする浄化材７ａへ衝当しながら強い圧力で接触し、続いて径の小さい通水管６ａへ流入するが、当該通水管６ａ内ではその流速が速くなり、キャピィテーションを発生しながら乱流となって次の径が大きな水処理室５ｂへと流入する。これを繰り返し勢いよくトルマリン鉱石粒又はトルマリン鉱石粒を主材とする浄化材７ｂと衝当しながら強い圧力で接触するのである。このように浄化材７ｂと断続的に強い圧力や衝撃力で繰返し接触しながら通水し、先端部流出部４から流出する。このようにトルマリン処理水用浄水器１内を所定の圧力をもって通水した場合、流入した水が当該水処理用耐圧容器２内でトルマリン鉱石粒又はトルマリン鉱石粒を主材とする浄化材７ａに断続的に強い圧力や衝撃力の変化するなかで繰返し接触するので効率的にトルマリン処理によりトルマリン処理水に浄化することができるのである。
【００４６】
図３は、複数の基本耐圧容器８ａ,８ｂを前記通水管６により着脱自在に連結することによりトルマリン処理水用浄水器１を形成した実施例の縦断説明である。当該基本耐圧容器８ａは、径の大きい水処理室５ａとその両端部から突出する通水管６ａが形成する径の小さい流入部３と排出部４とから形成されたものである。当該基本耐圧容器８ａを独立した部品として複数個用意し，その基本耐圧容器８ａ,８ｂを直列に並べたうえ、隣接する基本耐圧容器８ｂとその通水管６ａ，６ｂを連結して水処理室耐圧容器２を組立て構成することができるようにしたものである。このように組み合わされた水処理用耐圧容器２に水を流入部３から所定の圧力で流入すると、当該水処理用耐圧容器２内でトルマリン鉱石粒又はトルマリン鉱石粒を主材とする浄化材７ａに断続的に強い圧力や衝撃力で繰返し接触することができるので、効率的にトルマリン処理によりトルマリン処理水に浄化することができる。
【００４７】
また、図３に示した実施例の基本耐圧容器８ａは、例えばステンレス製の筒形側部９の左右両端開口部に通水管６ａ，６ａを突設したステンレス製のキャップ１０を固設して横長の水処理室８ａとなし、当該水処理室内にステンレス製の金網又はステンレス製の穴開き板等の網状体１１を内装して三つに区分し、水流の方向に沿って順次粒径が約３．０〜５．０ｍｍのＬ型トルマリン鉱石粒Ｌを収納し、中間区分には粒径が約１．５〜３．０ｍｍのＭ型トルマリン鉱石粒Ｍを収納し、流出側区分には０．５〜１．５ｍｍのＳ型トルマリン鉱石粒Ｓを収納して、流入してきた水が区分毎にトルマリン鉱石に接触しながら通水するようにするのが望ましい。
【００４８】
このように本考案は、基本耐圧容器８ａ，８ｂが独立した部品として複数個用意し、これを直列に並べて隣接する基本耐圧容器８ａ，８ｂをその通水管６ａ，６ｂを連結することにより水処理室耐圧容器２を簡単に組立て構成することができる。このため使用する水槽などの大きさや形状などの状況に応じて基本耐圧容器８ａ，８ｂの数や配置を適切なものに設計変更することができるので便利である。
【００４９】
図４は、前述したトルマリン処理水用浄水器２配設したトルマリン処理水生成機能を有する受水槽の実施例を示す縦断構成正面図である。
図中１２は、給配水のために一時的に水を貯溜しておく受水槽であって、その上部には水取入口部１３が設けられており、その水取入口部１３の直前及び／又は直後の流入水路上にトルマリン処理水用浄水器２が装着されている。また、受水槽９の水配出口部１４の直前及び／又は直後の流出水路上にもトルマリン処理水用浄水器１が配設されている。尚、図４では、当該トルマリン処理水用浄水器１が受水槽１２内に装着されているが、これに限る必要はなく、受水槽１２の水取入口部１３の直前の流入水路上に装着するようにしても良いし、また、受水槽１２の水配出口部１４の直前及び／又は直後の流出水路上にトルマリン処理水用浄水器１が配設されていても良い。
【００５０】
当該トルマリン処理水用浄水器１は、複数の径が大きな水処理室５ａ，５ｂを、径の小さい通水管６により所定の間隔をおいて直列に連結形成してなる水処理用耐圧容器２と、その基端部に通水管６ａを突設して流入部３となすとともに、その先端部に通水管６ｂを突設して流出部４となしたものである。当該複数の水処理室５ａ，５ｂ内には、トルマリン鉱石粒又はトルマリン鉱石粒を主材とする浄化材７が収納されている。なお、当該トルマリン処理水用浄水器１は、第１考案、第２考案のいずれであっても良い。
【００５１】
当該水取入口部１３に配設けたトルマリン処理水用浄水器１は、その基端部の流入部３を水道の配水管Ａと連結して所定の圧力で水が流入するようになしている。普通配水管Ａである水道管は、２.５気圧〜４．５気圧で送水されているので、これを基礎圧力として活用して水処理用耐圧容器２内を通水する過程で流速を速めたり、乱流を起こさせたり、キャピテーションを発生させたりして圧力や衝撃力でトルマリン鉱石粒又はトルマリン鉱石粒を主材とする浄化材７に断続的に接触して有用なトルマリン処理水を生成しながら流出部４から受水槽１２に流入して受水槽１２内に貯留する。
【００５２】
尚、図中１５には、トルマリン鉱石粒又はトルマリン鉱石粒を主材とする浄化材７を籠状の容器に収納したトルマリン処理籠であり、これを受水槽１２内に配置し貯溜している水に接触するようにしたものである。しかし、これは従来から普通に行われているトルマリン処理法であり、本考案では必要とする構成要素ではない。
【００５３】
また、受水槽１２の底部近傍に設けた水配出口部１４には、沈むように配設したトルマリン処理水用浄水器２を装着する。その流出部４は外部配水管Ａと連結して当該給配水管Ａから生じる吸水力と受水槽１２内に貯溜した水の水圧とによって所定の圧力で水が流出するようになす。ここでも普通は２.５気圧〜４．５気圧で送水される。そのため、当該水処理用耐圧容器２内を通水する過程でトルマリン鉱石粒又はトルマリン鉱石粒を主材とする浄化材７に断続的に強い圧力や衝撃力で繰返し接触して有用なトルマリン処理水を生成しながら流出部から外部配水管Ａを介して流出配水することができる。
【００５４】
このように第４考案は、当該トルマリン処理水用浄水器１を受水槽１２の水取入口部１３の流入水路上と、受水槽１２の水配出口部１４の流出水路上に配設し、所定の圧力をもって通水する受水槽１２内へ流入する際と、受水槽１２内から流出する際の２箇所で断続的に強い圧力や衝撃力をもって繰返しトルマリン処理をするものである。しかも当該トルマリン処理水用浄水器２内を通水する際には、何度も断続的に水流に強い圧力や衝撃力が発生するようになっているので、接触水は強い電荷によるトルマリン処理を何度も繰返し行われることになる。そのため効率的に且つ確実に有用なトルマリン処理水を生成して水の浄化をすることができる受水槽１２を具現化したものである。
【００５５】
本考案に係る有用なトルマリン処理水生成機能を備えた受水槽１２で生成された有用なトルマリン処理水の有益性について、次のようにして確認した。
【００５６】
まず、本考案に係るトルマリン処理水用浄水器１に通水して生成したトルマリン処理水を飲料水として官能検査をした。２０人のパネラーに、水道水（対象区）とその水道水を原料として本考案により生成したマリン処理水（試料）とを用意し、両者を飲んでおいしさと塩素臭とを比較してもらった。その結果、全員が、マリン処理水の方が水道水より、マイルドでおいしい水になっているし、塩素の臭いがなくなったとの評価を得た。
【００５７】
次に、マンションに備えてある既存の受水槽１２を改造して第４考案に係るトルマリン処理水生成機能を備えた受水槽１２となしたうえで継続して使用したところ、当初の１週間は赤さびやスケール、ゴミなどが多量に配管の蛇口からでてきたが、次第に消えてきて２週間後には、きれいな水がでてくるようになった。調べてみると、既存の配水管も受水槽もその内側がピカピカに磨かれたようにきれいになっており、ぬめりも取り除かれていたし、排水管の詰まりや、油、カビ、ゴミなどが少なくなって悪臭も弱くなった。また、トルマリン処理水を使用した浴槽や洗面器や便器などの黄ばみや、ぬめりが殆んど無くなった。これらのトルマリン処理水の有益性は、界面活性効果、抗菌効果、水の活性化、酸化還元電位の低下といった、作用効果が強く発現しているものと思われる。
【図面の簡単な説明】
【００５８】
【図１】本考案に係るトルマリン処理水用浄水器の実施例を示す縦断面説明図である。
【図２】トルマリン処理水用浄水器の中に所定の圧力を持って水を流入したときの水流の状態を模した説明図である。
【図３】基本耐圧容器は前記通水管を介して複数個を着脱自在に連結することによりトルマリン処理水用浄水器を形成した実施例を示す縦断面説明図である。
【図４】前記トルマリン処理水用浄水器を活用した有用なトルマリン処理水生成機能を備えた受水槽の実施例を示す縦断構成正面図である。
【符号の説明】
【００５９】
１：トルマリン処理水用浄水器
２：水処理用耐圧容器
３：流入部
４：流出部
５ａ，５ｂ：水処理室
６，６ａ，６ｂ：通水管
７,７ａ，７ｂ：浄化材
８,８ａ,８ｂ：基本耐圧容器
９：筒形側部
１０：キャップ
１１：網状体
１２：受水槽
１３：水取入口
１４：水配出口
１５：トルマリン処理籠
Ａ：外部配水管
Ｌ：Ｌ型トルマリン鉱石粒
Ｍ：Ｍ型トルマリン鉱石粒
Ｓ：Ｓ型トルマリン鉱石粒
【図１】
0003184204.tif 000003
【図２】
0003184204.tif 000004
【図３】
0003184204.tif 000005
【図４】
0003184204.tif 000006